【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
駆動板部と、
前記駆動板部の上に固定配置され同駆動板部を駆動する圧電／電歪素子と、
外部に音波を放射するための振動板部と、
前記駆動板部と前記振動板部とを支持する固定部と、
少なくとも前記駆動板部と、前記振動板部と、前記固定部とで区画形成されたキャビティ内に封入され前記駆動板部の振動を前記振動板部に伝達するための媒体と、
を備えたスピーカであって、
少なくとも前記駆動板部がセラミックスからなり、前記駆動板部と前記圧電／電歪素子とが焼成により一体化されていることを特徴とするスピーカ。
【請求項２】
請求項１に記載のスピーカにおいて、
複数の前記駆動板部が備えられ、前記複数の駆動板部の上に前記圧電／電歪素子がそれぞれ固定配置されたことを特徴とするスピーカ。
【請求項３】
請求項１又は請求項２に記載のスピーカにおいて、
前記駆動板部と前記振動板部とが１つの平面上に存在することを特徴とするスピーカ。
【請求項４】
内側に内部空間を有する形状を呈した圧電／電歪素子と、
外部に音波を放射するための振動板部と、
少なくとも前記圧電／電歪素子の内部空間と、前記振動板部とで区画形成されたキャビティ内に封入され前記圧電／電歪素子の振動を前記振動板部に伝達するための媒体と、
を備えたスピーカ。
【請求項５】
請求項４に記載のスピーカにおいて、
前記圧電／電歪素子の内部空間は、複数の空間に区画されていることを特徴とするスピーカ。
【請求項６】
請求項１乃至請求項５の何れか一項に記載のスピーカにおいて、
前記媒体は液体であることを特徴とするスピーカ。
【請求項７】
請求項１乃至請求項５の何れか一項に記載のスピーカにおいて、
前記媒体はゲルであることを特徴とするスピーカ。
【請求項８】
請求項１乃至請求項７の何れか一項に記載のスピーカにおいて、
前記圧電／電歪素子には、駆動信号としてオーディオ信号で振幅変調した超音波信号が供給されることを特徴とするスピーカ。
【請求項９】
駆動板部と、
前記駆動板部の上に固定配置され同駆動板部を駆動する超磁歪材料を用いた超磁歪素子と、
外部に音波を放射するための振動板部と、
前記駆動板部と前記振動板部とを支持する固定部と、
少なくとも前記駆動板部と、前記振動板部と、前記固定部とで区画形成されたキャビティ内に封入され前記駆動板部の振動を前記振動板部に伝達するための液体と、
を備えたスピーカ。
【請求項１０】
駆動板部と、
前記駆動板部の上に固定配置され同駆動板部を駆動する超磁歪材料を用いた超磁歪素子と、
外部に音波を放射するための振動板部と、
前記駆動板部と前記振動板部とを支持する固定部と、
少なくとも前記駆動板部と、前記振動板部と、前記固定部とで区画形成されたキャビティ内に封入され前記駆動板部の振動を前記振動板部に伝達するためのゲルと、
を備えたスピーカ。
【請求項１１】
内側に内部空間を有する形状を呈した超磁歪材料を用いた超磁歪素子と、
外部に音波を放射するための振動板部と、
少なくとも前記超磁歪素子の内部空間と、前記振動板部とで区画形成されたキャビティ内に封入され前記超磁歪素子の振動を前記振動板部に伝達するための媒体と、
を備えたスピーカ。
【請求項１２】
請求項１１に記載のスピーカにおいて、
前記超磁歪素子の内部空間は、複数の空間に区画されていることを特徴とするスピーカ。
【請求項１３】
請求項１１又は請求項１２に記載のスピーカにおいて、
前記媒体は液体、又はゲルであることを特徴とするスピーカ。
【請求項１４】
請求項９乃至請求項１３の何れか一項に記載のスピーカにおいて、
前記超磁歪素子には、駆動信号としてオーディオ信号で振幅変調した超音波信号が供給されることを特徴とするスピーカ。
【請求項１５】
外部から力を受けて変形する入力板部と、
出力板部と、
前記出力板部の上に固定配置され同出力板部の変形に応じた電力を発生する圧電／電歪素子と、
前記入力板部と前記出力板部とを支持する固定部と、
少なくとも前記入力板部と、前記出力板部と、前記固定部とで区画形成されたキャビティ内に封入され前記入力板部の変形に基づく圧力を前記出力板部に伝達して同出力板部を変形させるための媒体と、
を備えた電力発生装置であって、
少なくとも前記出力板部がセラミックスからなり、前記出力板部と前記圧電／電歪素子とが焼成により一体化されていることを特徴とする電力発生装置。
【請求項１６】
請求項１５に記載の電力発生装置において、
複数の前記入力板部が備えられ、前記媒体は、液体、又はゲルであることを特徴とする電力発生装置。
【請求項１７】
請求項１５又は請求項１６に記載の電力発生装置を有する電子携帯機器。
【請求項１８】
請求項１５又は請求項１６に記載の電力発生装置を有するパーソナルコンピュータ用入力機器。
【請求項１９】
前記電力発生装置はセンサとして機能することを特徴とする、請求項１５又は請求項１６に記載の電力発生装置、又は、請求項１７に記載の電子携帯機器、又は、請求項１８に記載のパーソナルコンピュータ用入力機器。
【手続補正２】
【補正対象書類名】明細書
【補正対象項目名】発明の名称
【補正方法】変更
【補正の内容】
【発明の名称】スピーカ及び電力発生装置
【手続補正３】
【補正対象書類名】明細書
【補正対象項目名】０００１
【補正方法】変更
【補正の内容】
【０００１】
本発明は、スピーカに関し、特に、アクチュエータが発生する振動を流体やゲルを用いて振動板部に伝達し音波を放射させるものであって、アクチュエータとして圧電／電歪素子、又は超磁歪素子が使用されるものに関する。また、本発明は、前記スピーカの構造と関連する構造を有する、圧力変動の媒体として流体やゲルを用いた電力発生装置に関する。
【手続補正４】
【補正対象書類名】明細書
【補正対象項目名】００２５
【補正方法】変更
【補正の内容】
【００２５】
また、上記本発明に係る第１のスピーカにおいて、前記駆動板部を出力板部に、前記振動板部を入力板部にそれぞれ置き換えることで、外部から力を受けて変形する入力板部と、出力板部と、前記出力板部の上に固定配置され同出力板部の変形に応じた電力を発生する圧電／電歪素子と、前記入力板部と前記出力板部とを支持する固定部と、少なくとも前記入力板部と、前記出力板部と、前記固定部とで区画形成されたキャビティ内に封入され前記入力板部の変形に基づく圧力を前記出力板部に伝達して同出力板部を変形させるための媒体とを備えた電力発生装置であって、少なくとも前記出力板部がセラミックスからなり、前記出力板部と前記圧電／電歪素子とが焼成により一体化されていることを特徴とする電力発生装置が提供され得る。
【手続補正５】
【補正対象書類名】明細書
【補正対象項目名】００２６
【補正方法】変更
【補正の内容】
【００２６】
即ち、入力板部に外部から力（圧力）を与えると、この力の大きさに応じて入力板部が変形する。入力板部が変形すると、この入力板部の変形に応じて媒体の圧力が発生する。この媒体の圧力に応じて出力板部が変形する。出力板部が変形すると、この出力板部の変形に応じて圧電／電歪素子が電力を発生する。以上より、入力板部に外部から力（圧力）を与えると、圧電／電歪素子はこの力の大きさに応じた電力を発生する。従って、この電力発生装置は、例えば、入力板部に与えられた力（圧力）の大きさをアナログ的に検出するセンサとして機能する。
【手続補正６】
【補正対象書類名】明細書
【補正対象項目名】００２７
【補正方法】変更
【補正の内容】
【００２７】
また、この電力発生装置では、入力板部と出力板部とが離隔しているため、出力板部が破損し難い。加えて、このセンサは、キャビティ内に液体、ゲル等の媒体を封入するだけで簡便に作製され得る。
【手続補正７】
【補正対象書類名】明細書
【補正対象項目名】００２８
【補正方法】変更
【補正の内容】
【００２８】
この電力発生装置では、入力板部の大きさ、個数を自由に変えることができる。好ましくは、この電力発生装置では、複数の前記入力板部が備えられ、前記媒体は、液体、又はゲルであることが好ましい。
【手続補正８】
【補正対象書類名】明細書
【補正対象項目名】００２９
【補正方法】変更
【補正の内容】
【００２９】
この電力発生装置の用途としては、上述した力（圧力）センサに加えて、３次元センサ（マイク）、指紋センサ、流量センサや、液量センサ、粘度センサ等の流体センサ等が挙げられる。また、この電力発生装置は、携帯電話等の電子携帯機器、マウス等のパーソナルコンピュータ用入力機器にも使用され得る。